(57)【要約】【課題】  操作者の視聴意欲を低減させずに、要約再生を実行することのできる情報要約再生装置を提供すること。【解決手段】  情報記録再生装置１００は、受信されたコンテンツデータをＤＶＤ１０またはＨＤ２０に記録する際に、コンテンツデータとともに当該コンテンツデータにおける特徴量データを記録するとともに、コンテンツデータの再生する際に、当該コンテンツデータの再生回数の管理を行うようになっている。また、情報記録再生装置１００は、要約再生を行う際に、当該コンテンツデータの再生回数とコンテンツデータとともに記録された特徴量データに基づいて再生するコンテンツデータの要約再生に必要な部分を決定し、当該決定されたコンテンツデータの部分に基づいて、当該要約再生を行うようになっている。【選択図】  図１
2006139829.tif 000002
【特許請求の範囲】
【請求項１】
記録媒体に予め記録されているコンテンツデータの再生時間における時間長を短縮して再生を行う要約再生装置であって、
前記記録媒体に記録されているコンテンツデータの再生回数を管理する管理手段と、
要約再生が指示された場合に、前記管理手段によって管理されている当該コンテンツデータの再生回数を認識する認識手段と、
前記認識された再生回数に基づいて、コンテンツデータの再生の進行に伴って変化する重み付けデータを決定する決定手段と、
前記決定された重み付けデータに基づいて、前記コンテンツデータにおける要約再生に用いる再生区間を特定する特定手段と、
前記特定された再生区間に基づいて前記記録されているコンテンツデータを再生する再生手段と、
を備えることを特徴とする要約再生装置。
【請求項２】
請求項１に記載の要約再生装置において、
前記記録されているコンテンツデータに含まれる音声データに基づいて、予め設定された閾値を越える音量レベルまたは予め設定された閾値以下の音量レベルの少なくとも何れか一方の音量レベルを有する前記コンテンツデータにおける音声区間を予め検出する検出手段を更に有し、
前記特定手段が、前記決定された重み付けデータと前記音声区間情報に基づいて、前記コンテンツデータにおける要約再生に用いる再生区間を特定することを特徴とする要約再生装置。
【請求項３】
請求項２に記載の要約再生装置において、
前記検出された音声区間を音声区間情報として記録媒体に予め記録する記録制御手段を有することを特徴とする要約再生装置。
【請求項４】
請求項３に記載の要約再生装置において、
前記記録制御手段が、前記音声区間情報として前記音声区間とともに当該音声区間の検出された音量レベル値を前記記録媒体に記録することを特徴とする要約再生装置。
【請求項５】
請求項１乃至４の何れか一項に記載の要約再生装置において、
前記再生回数とともに前記コンテンツデータの属性に対応付けられた複数の重み付けデータが格納された格納手段を更に有し、
前記記録媒体に前記コンテンツデータの属性を示す属性情報が記録されている場合に、
前記認識手段が、前記コンテンツデータの属性を認識し、前記決定手段が、前記再生回数と前記認識された属性に基づいて前記重み付けデータを決定することを特徴とする要約再生装置。
【請求項６】
請求項２乃至５の何れか一項に記載の要約再生装置において、
前記検出手段が、複数の異なる閾値を越える音量レベルを有する前記コンテンツデータにおける音声区間を音声区間情報として予め検出することを特徴とする要約再生装置。
【請求項７】
請求項２乃至５の何れか一項に記載の要約再生装置において、
前記検出手段が、複数の異なる閾値以下の音量レベルの少なくとも一方の音量レベルを有する前記コンテンツデータにおける音声区間を音声区間情報として検出することを特徴とする要約再生装置。
【請求項８】
請求項２乃至７の何れか一項に記載の要約再生装置において、
前記特定手段が、予め設定された閾値を越える音量レベル有する前記コンテンツデータにおける音声区間が検出された場合には、当該音量レベル以上を有する区間を再生区間として特定し、予め設定された閾値以下の音量レベル有する前記コンテンツデータにおける音声区間が検出された場合には、当該音量レベルを有する区間に後続する区間を再生区間として特定することを特徴とする要約再生装置。
【請求項９】
記録媒体に予め記録されているコンテンツデータの再生時間における時間長を短縮して再生を行う要約再生方法であって、
前記記録媒体に記録されているコンテンツデータの再生回数が管理されている場合に、
要約再生が指示された場合に、前記管理されている当該コンテンツデータの再生回数を認識する認識工程と、
前記認識された再生回数に基づいて、コンテンツデータの再生の進行に伴って変化する重み付けデータを決定する決定工程と、
前記決定された重み付けデータに基づいて、前記コンテンツデータにおける要約再生に用いる再生区間を特定する特定工程と、
前記特定された再生区間に基づいて前記格納されているコンテンツデータを再生する再生工程と、
を含むことを特徴とする要約再生方法。
【請求項１０】
コンピュータによって、記録媒体に予め記録されているコンテンツデータの再生時間における時間長を短縮して再生を行う要約再生プログラムであって、
前記記録媒体に記録されているコンテンツデータの再生回数が管理されている場合に、
前記コンピュータを、
要約再生が指示された場合に、前記管理されている当該コンテンツデータの再生回数を認識する認識手段、
前記認識された再生回数に基づいて、コンテンツデータの再生の進行に伴って変化する重み付けデータを決定する決定手段、
前記決定された重み付けデータに基づいて、前記コンテンツデータにおける要約再生に用いる再生区間を特定する特定手段、
前記特定された再生区間に基づいて前記格納されているコンテンツデータを再生する再生手段、
として機能させることを特徴とする要約再生プログラム。
【請求項１１】
請求項１０に記載の要約再生プログラムをコンピュータに読み取り可能に記録したことを特徴とする情報記録媒体。
【発明の詳細な説明】
【技術分野】
【０００１】
本発明は、テレビ放送番組などの主に映像情報によって構成されるコンテンツデータの要約を作成してユーザに提供する情報要約再生装置の技術分野に属する。
【背景技術】
【０００２】
近年、テレビジョン放送による番組等、主に映像情報によって構成されるコンテンツデータを録画・再生することが日常的に行われており、ＶＴＲ（Video Tape Recorder）に代表されるコンテンツデータの録画・再生を行う記録装置が普及している。また、最近では、これらの記録装置における記録容量の増大により、必ずユーザが視聴を希望するコンテンツデータを録画するだけでなく、キーワードなどを用いてユーザの趣向に沿うコンテンツデータを一時的に録画し、記録後に当該記録されたコンテンツデータの視聴の有無を決める記録装置も実用に供されている。
【０００３】
このような状況において、記録されたコンテンツデータの整理または確認のために、記録された映像情報を全て見ることなく当該映像情報を短時間に要約した映像情報（以下、要約情報という。）を提供するダイジェスト再生（以下、要約再生ともいう。）を行う要約再生装置が知られている。特に、このような要約再生を行う情報要約再生装置としては、コンテンツデータの属性などの当該コンテンツデータの特徴によって予め定められている映像の重要度に基づいて再生する場面（シーン）を決定し、要約再生を行うようになっている。
【０００４】
具体的には、この情報要約再生装置は、放送番組のタイトル名の情報、属性、開始時刻または終了時刻などの放送番組固有のコンテンツ管理情報を取得し、当該コンテンツ管理情報に基づいて要約再生のための再生する映像データ部分が予め特定されている時間配分のデータを決定するようになっており、当該決定された時間配分データに基づいて放送により取得された放送番組のコンテンツデータの要約再生のためのデータ（以下、要約再生データという。）を生成するようになっている（例えば、特許文献１）。
【特許文献１】特開２００３−１２５３５６号公報
【発明の開示】
【発明が解決しようとする課題】
【０００５】
しかしながら、このような従来の情報要約再生装置にあっては、原則的には、同一のコンテンツデータに対しては同一の要約再生データを生成するようになっており、当該コンテンツデータの視聴回数など操作者の視聴状況に併せた要約再生を行うことができない。
【０００６】
すなわち、操作者が要約再生を希望する際に、従来の情報要約再生装置は、当該操作者によって過去に視聴されたコンテンツデータである場合であっても、または、未だ視聴されていないコンテンツデータであっても、同様の要約再生を行うようになっている。したがって、当該情報要約再生装置は、要約再生において、未だコンテンツデータを視聴していない場合であっても当該コンテンツデータの結末を提供してしまうなど、操作者の視聴状況を考慮しないため、要約再生の内容によっては操作者の視聴の興味を半減させる可能性がある。
【０００７】
本発明は、上記の課題に鑑み、その一例として、操作者の視聴意欲を低減させずに、要約再生を実行することのできる情報要約再生装置を提供することにある。
【課題を解決するための手段】
【０００８】
上記の課題を解決するために、請求項１に記載の発明は、記録媒体に予め記録されているコンテンツデータの再生時間における時間長を短縮して再生を行う要約再生装置であって、前記記録媒体に記録されているコンテンツデータの再生回数を管理する管理手段と、要約再生が指示された場合に、前記管理手段によって管理されている当該コンテンツデータの再生回数を認識する認識手段と、前記認識された再生回数に基づいて、コンテンツデータの再生の進行に伴って変化する重み付けデータを決定する決定手段と、前記決定された重み付けデータに基づいて、前記コンテンツデータにおける要約再生に用いる再生区間を特定する特定手段と、前記特定された再生区間に基づいて前記記録されているコンテンツデータを再生する再生手段と、を備える構成を有している。
【０００９】
また、請求項９に記載の発明は、記録媒体に予め記録されているコンテンツデータの再生時間における時間長を短縮して再生を行う要約再生方法であって、前記記録媒体に記録されているコンテンツデータの再生回数が管理されている場合に、要約再生が指示された場合に、前記管理されている当該コンテンツデータの再生回数を認識する認識工程と、前記認識された再生回数に基づいて、コンテンツデータの再生の進行に伴って変化する重み付けデータを決定する決定工程と、前記決定された重み付けデータに基づいて、前記コンテンツデータにおける要約再生に用いる再生区間を特定する特定工程と、前記特定された再生区間に基づいて前記格納されているコンテンツデータを再生する再生工程と、を含む構成を有している。
【００１０】
また、請求項１０または１１に記載の発明は、コンピュータによって、記録媒体に予め記録されているコンテンツデータの再生時間における時間長を短縮して再生を行う要約再生プログラムであって、前記記録媒体に記録されているコンテンツデータの再生回数が管理されている場合に、前記コンピュータを、要約再生が指示された場合に、前記管理されている当該コンテンツデータの再生回数を認識する認識手段、前記認識された再生回数に基づいて、コンテンツデータの再生の進行に伴って変化する重み付けデータを決定する決定手段、前記決定された重み付けデータに基づいて、前記コンテンツデータにおける要約再生に用いる再生区間を特定する特定手段、前記特定された再生区間に基づいて前記格納されているコンテンツデータを再生する再生手段、として機能させる構成を有している。
【発明を実施するための最良の形態】
【００１１】
以下、本願の実施の形態について、図面を参照しながら説明する。
【００１２】
なお、以下に説明する実施の形態は、音声データと映像データを含むコンテンツデータの記録および読み出しが実行されるハードディスク（以下、「ＨＤ」という。）およびＤＶＤ（Digital Versatile Disc）ドライブを備えた情報記録再生装置に対して、本願の要約再生装置を適用した場合の実施の形態である。また、以下において、放送番組とは、放送波を介して各放送局から提供されるコンテンツを示し、以下に説明する実施形態では、この放送番組のデータ（以下、放送番組データという。）を用いて説明する。
【００１３】
まず、図１〜図３を用いて情報記録再生装置の全体構成および概要動作について説明する。なお、図１は、本願に係る情報記録再生装置の概要構成を示すブロック図であり、図２は、特徴量抽出部において検出される特徴量データを説明するための図である。また、図３は、本実施形態の記録制御部にて生成され、ＤＶＤまたはＨＤに記録される要約再生管理情報のデータ構造図の一例である。
【００１４】
本実施形態の情報記録再生装置１００は、各放送局から送信された放送波をコンテンツデータとして受信し、当該受信されたコンテンツデータをＤＶＤ１０またはＨＤ２０に記録するようになっている。また、この情報記録再生装置１００は、各出力端子Ｔ１およびＴ２を介して図示しない外部装置に接続されており、コンテンツデータを再生する際に、当該外部装置にコンテンツデータを複合して映像信号および音声信号として出力するようになっている。
【００１５】
一方、この情報記録再生装置１００は、当該記録されているコンテンツデータを要約することによって当該コンテンツデータの時間長を短縮して再生する要約再生を行うようになっている。特に、この情報記録再生装置１００は、受信されたコンテンツデータをＤＶＤ１０またはＨＤ２０に記録する際に、コンテンツデータとともに当該コンテンツデータにおける特徴量のデータ（以下、特徴量データという。）を記録するようになっており、当該記録された特徴量データと後述する再生回数に基づいて要約再生を行うようになっている。
【００１６】
また、この情報記録再生装置１００は、コンテンツデータを再生時刻に従って再生する通常再生を行う場合に、当該コンテンツデータの再生回数の管理を行うようになっており、要約再生を行う際に、当該コンテンツデータの再生回数とコンテンツデータとともに記録された特徴量データに基づいて再生するコンテンツデータの要約再生に必要な部分を決定し、当該決定されたコンテンツデータの部分に基づいて、当該要約再生を行うようになっている。
【００１７】
このような動作を行う情報記録再生装置１００は、図１に示すように、アンテナＡＴを介して放送波をコンテンツデータとして受信するＴＶ受信部１１０と、受信されたコンテンツデータに対して入力処理を行う映像データ用入力処理部１２０および音声データ用入力処理部１３０と、受信されたコンテンツデータから特徴量を抽出する特徴量抽出部１４０と、記録すべきコンテンツデータの記録制御を行う記録制御部１５０と、コンテンツデータを記録する際に当該コンテンツデータを所定の信号形式に変換するエンコーダ１６０と、コンテンツデータが記録されるＤＶＤ１０を装着するＤＶＤドライブ１７０と、コンテンツデータが記録されるＨＤ２０を有するＨＤドライブ１８０と、を有している。
【００１８】
また、この情報記録再生装置１００は、ＤＶＤ１０またはＨＤ２０に記録されたコンテンツデータの再生制御、特に、要約再生の制御を行うとともに、当該コンテンツデータの再生管理を行う再生制御部１９０と、コンテンツデータの再生時に当該コンテンツデータを所定のデータ形式に複合するデコーダ２００と、デコードされたデータをＮＴＳＣ信号に変換し、外部装置に出力するＮＴＳＣ変換部２１０と、出力する映像信号に対してＯＳＤ（On screen Display）処理を行うＯＳＤ部２２０と、有している。
【００１９】
一方、この情報記録再生装置１００は、コンテンツデータの記録および再生を行うために各種の設定操作を行う操作部２４０と、各部を制御するシステム制御部２５０と、ＲＯＭ／ＲＡＭ２６０と、を有しており、システム制御部２５０は、バスＢを介して操作部２４０およびその他の部材と接続されている。
【００２０】
なお、例えば、本実施形態の特徴量抽出部１４０は、本発明の検出手段を構成し、記録制御部１５０は、本発明の記録制御手段を構成する。また、例えば、本実施形態の再生制御部１９０は、本発明の管理手段、格納手段、認識手段、決定手段、特定手段および再生手段を構成し、デコーダ２００は、本発明の再生手段を構成する。
【００２１】
ＴＶ受信部１１０は、アンテナＡＴを介して各放送局から送信された放送波、例えば、ＶＨＦ（Very High Frequency）放送またはＢＳ（Broadcasting Satellite）デジタル放送などのＲＦ信号を受信するようになっており、ユーザの選択した受信帯域に同調して受信された信号波をＩＦ（中間周波数）信号に変換するようになっている。また、このＴＶ受信部１１０は、変換されたＩＦ信号をＴＶ用の映像信号および音声信号（以下、単にＴＶ用信号という。）に復調するとともに、当該ＴＶ用信号をＮＴＳＣ信号などの通常の映像信号にデコード処理を行うことによってコンテンツデータを生成するようになっている。そして、このＴＶ受信部１１０は、当該生成されたコンテンツデータにおける映像データについては映像データ用入力処理部１２０に、当該精製されたコンテンツデータにおける音声データについては音声データ用入力処理部１３０に出力するようになっている。
【００２２】
なお、ＴＶ受信部１１０は、デジタルによって提供される放送波を受信した場合には、当該デジタル信号のデータ形式を維持しつつ、映像データ用入力処理部１２０または音声データ用入力処理部１３０にコンテンツデータを出力するようになっている。
【００２３】
一方、ＴＶ受信部１１０は、受信している放送波に放送時刻や放送時間などのコンテンツデータを管理するためのコンテンツ管理情報が付帯されている場合には、当該コンテンツ管理情報を信号波から検出して当該検出されたコンテンツ管理情報を、バスＢを介して記録制御部１５０に出力するようになっている。
【００２４】
例えば、放送波がＢＳデジタル放送である場合に、ＴＶ受信部１１０は、メタデータと呼ばれる、放送波におけるコンテンツデータについて所定の情報を記述したデータを、当該コンテンツデータとは別に受信するようになっており、このＴＶ受信部１１０は、受信されたメタデータをコンテンツ管理情報として記録制御部１５０に出力するようになっている。
【００２５】
なお、このメタデータには、当該コンテンツデータが放送されるチャンネルの情報、放送の開始時刻や終了時刻、当該コンテンツデータの総時間、当該コンテンツデータのジャンル（以下、属性ともいう。）、題名、出演者などのコンテンツデータに関する各種のデータ、コンテンツデータの再生時に挿入される広告情報の挿入時刻など当該広告情報に関する各種のデータが含まれている。
【００２６】
映像データ用入力処理部１２０には、コンテンツデータにおける映像データが入力されるようになっており、この映像データ用入力処理部１２０は、入力されたコンテンツデータに対して所定の形式への信号変換またはアナログからデジタルの信号に変換するＡ／Ｄ変換などの予め定められた処理を行うとともに、予め定められた処理が行われた映像データを、バスＢを介してエンコーダ１６０に出力するようになっている。
【００２７】
例えば、本実施形態の映像データ用入力処理部１２０は、入力されたコンテンツデータをデジタル化して国際電気通信連合にて策定されたテレビジョン放送向けコンポーネント信号のインタフェースに関する規格であるＩＴＵ−Ｒ（International Telecommunications Union Radiocommunication sector）Ｂｔ．６５６形式に変換するようになっており、当該変換された映像データをエンコーダ１６０に出力するようになっている。
【００２８】
音声データ用入力処理部１３０には、コンテンツデータにおける音声データが入力されるようになっており、この映像データ用入力処理部１２０は、入力されたコンテンツデータに対して所定の形式への信号変換またはアナログからデジタルの信号に変換するデジタル／アナログ変換（以下、Ａ／Ｄ変換という。）などの予め定められた処理を行うようになっている。また、音声データ用入力処理部１３０は、予め定められた処理が行われたコンテンツデータをエンコーダ１６０および特徴量抽出部１４０に出力するようになっている。
【００２９】
例えば、本実施形態の映像データ用入力処理部１２０は、入力されたコンテンツデータをデジタル化するようになっており、デジタルオーディオインターフェースに関する規格Ｉ２Ｓ（The Inter-IC Sound）のデータ通信方式にて当該変換された音声データをエンコーダ１６０および特徴量抽出部１４０に出力するようになっている。
【００３０】
特徴量抽出部１４０には、所定のデジタルデータ形式に変換された音声データが入力されるようになっており、この特徴量抽出部１４０は、記録制御部１５０の制御の下、入力された音声データに対して閾値として予め定められた音量レベル以上または予め定められた音量レベル以下の音量レベルを有するコンテンツデータの音声区間と当該音声区間の音量レベル値を検出する処理（以下、検出処理という。）ようになっている。また、この特徴量抽出部１４０は、検出された再生時刻と音量レベル値を特徴量データとして記録制御部１５０にバスＢを介して出力するようになっている。
【００３１】
具体的には、特徴量抽出部１４０には、閾値として予め異なる複数の音量レベルが設定されており、コンテンツデータの盛り上がる区間（以下、騒音区間という。）を検出するための騒音レベルと、コンテンツデータにおける音が無音となり、当該コンテンツデータの内容の区切りを示す区間（以下、無音区間という。）を検出するための無音レベルと、が設定されている。また、この特徴量抽出部１４０は、騒音レベルの音声区間として閾値を越えた際の再生時刻（以下、騒音区間開始時刻という。）とその後当該閾値以下となった再生時刻（以下、騒音区間終了時刻という。）、または、無音レベルの音声区間として閾値以下になった際の再生時刻（以下、無音区間開始時刻という。）とその当該閾値を越えた際の再生時刻（以下、無音区間終了時刻という。）を検出するとともに、それぞれの音声区間の音量レベル値を検出するようになっている。
【００３２】
例えば、本実施形態の特徴量抽出部１４０は、図２（ａ）に示す音声データが入力された際には、図２（ｂ）に示すように、騒音レベルを超える騒音区間および無音レベル以下の無音区間の開始時刻および終了時刻と、当該音声区間中の音量レベル値とを特徴量データとして検出するようになっている。
【００３３】
また、本実施形態の特徴量抽出部１４０は、騒音区間および無音区間における音量レベル値の平均値を算出するようになっており、当該算出された平均値を音量レベル値として出力するようになっている。
【００３４】
記録制御部１５０には、バスＢを介して放送波から抽出されたコンテンツ管理情報と、特徴量抽出部１４０において抽出された特徴量データと、が入力されるようになっている。また、この記録制御部１５０は、システム制御部２５０の制御の下、入力されたコンテンツ管理情報および特徴量データに基づいて、要約再生を行う際に必要となる要約再生を管理するための情報（以下、要約再生管理情報という。）を生成するようになっており、コンテンツデータの記録制御を行いつつ、当該生成された要約再生管理情報を各コンテンツデータに対応付けるとともにＤＶＤドライブ１７０またはＨＤドライブ１８０を介してＤＶＤ１０またはＨＤ２０に記録するようになっている。
【００３５】
具体的には、本実施形態の記録制御部１５０は、コンテンツデータをＤＶＤ１０またはＨＤ２０に記録する際に、入力されたコンテンツ管理情報から記録すべきコンテンツデータの属性を示す情報（以下、属性情報という。）を抽出するようになっている。また、この記録制御部１５０は、入力された特徴量データに基づいてコンテンツデータの各音声区間毎に開始時刻、終了時刻および音量レベル値を示す情報（以下、音声区間情報という。）を生成するとともに、当該生成された音声区間情報および抽出された属性情報に、当該コンテンツデータが再生される際の再生回数を示す再生回数情報を添付して要約再生管理情報を生成するようになっている。
【００３６】
例えば、本実施形態では、記録制御部１５０は、図３に示すように、騒音レベルまたは無音レベルを有する区間の開始時刻情報および終了時刻情報が記録される開始時刻情報エリアＡ１および終了時刻情報エリアＡ２と、音量レベル値が記録される音量レベル値エリアＡ３と各音声区間に記録される区間数（以下、情報数ともいう。）が記録されるＡ４を有する騒音区間情報および無音区間情報を生成し、抽出された属性情報および再生回数情報とともに、当該生成された各音声区間情報を有する要約再生管理情報を生成するようになっている。そして、本実施形態の記録制御部１５０は、当該生成された要約再生管理情報を各コンテンツデータに対応付けてＤＶＤドライブ１７０またはＨＤドライブ１８０を介してＤＶＤ１０またはＨＤ２０に記録するようになっている。
【００３７】
なお、本実施形態の記録制御部１５０は、受信されたコンテンツデータをＤＶＤ１０またはＨＤ２０に記録する際に、「０回」を示す再生回数情報を有する要約再生管理情報を生成するようになっている。
【００３８】
また、記録制御部１５０は、要約再生管理情報を生成する際に、音量レベル値として各音声区間中における予め定められた時間毎の音量レベルの平均値を算出し、当該算出された音量レベルを当該音声区間の開始時刻および終了時刻とともに要約再生管理情報を生成するようになっている。
【００３９】
エンコーダ１６０には、入力処理された映像データおよび音声データと、記録制御部１５０にて生成された要約再生管理情報が入力されるようになっており、このエンコーダ１６０は、記録制御部１５０の制御に基づいて、入力処理されたコンテンツデータに対して所定の圧縮形式のデータ形式にエンコードするとともに、所定の形式にエンコードされたコンテンツデータに基づいてプログラムストリームを生成するようになっている。そして、このエンコーダ１６０は、生成されたプログラムストリームをＤＶＤドライブ１７０またはＨＤドライブ１８０に出力するようになっている。
【００４０】
例えば、本実施形態のエンコーダ１６０は、入力された映像データおよび音声データをＭＰＥＧ（Moving Picture Coding Experts Group）方式によってそれぞれエンコードするようになっており、エンコードされた映像データおよび音声データをマルチプレクス（多重化）してプログラムストリームを生成し、当該生成されたプログラムストリームをＤＶＤドライブ１７０またはＨＤドライブ１８０にて出力してＤＶＤ１０またはＨＤ２０に記録させるようになっている。
【００４１】
ＤＶＤドライブ１７０は、ＤＶＤ１０を着脱可能な構造を有するとともに、ＡＴＡＰＩ（AT Attachment Packet Interface）などの規格に準拠したＤＶＤ用ドライブインターフェースを有している。また、このＤＶＤドライブ１７０は、システム制御部２５０の制御の下、ＤＶＤ１０に記録するコンテンツデータまたはＤＶＤ１０から読み出すコンテンツデータのデータに関する入出力の切り換え、およびそれに伴うＤＶＤ１０の記録再生の制御を行うようになっている。
【００４２】
具体的には、このＤＶＤドライブ１７０は、システム制御部２５０の制御の下、エンコードされたプログラムストリームに要約再生管理情報を添付し、当該要約再生管理情報が添付されたプログラムストリームをＤＶＤ１０に記録するようになっている。また、ＤＶＤドライブ１７０は、システム制御部２５０の制御の下、要約再生管理情報が添付されたプログラムストリームを当該ＤＶＤ１０から読み出し、プログラムストリームをデコーダ２００に出力するとともに、要約再生管理情報を再生制御部１９０に出力するようになっている。
【００４３】
ＨＤドライブ１８０は、内部にＨＤ２０を有するとともに、ＡＴＡＰＩなどの規格に準拠したＨＤ用ドライブインターフェースを有しており、システム制御部２５０の制御の下、ＤＶＤドライブと同様に、ＨＤ２０に記録するコンテンツデータまたはＨＤ２０から読み出すコンテンツデータのデータに関する入出力の切り換え、および、それに伴うＨＤ２０の記録再生の制御を行うようになっている。
【００４４】
再生制御部１９０は、システム制御部２５０の制御部の下、ＤＶＤ１０またはＨＤ２０に記録されたコンテンツデータの再生制御を行うようになっており、操作部２４０によって指示されたコンテンツデータをＤＶＤ１０またはＨＤ２０から読み出す制御を行い、当該読み出されたコンテンツデータをデコーダ２００およびＮＴＳＣ変換部２１０を介して外部装置に出力させるようになっている。特に、この再生制御部１９０は、コンテンツデータを再生する際に、ＤＶＤ１０またはＨＤ２０に再生すべきコンテンツデータに対応付けられて記録されている要約再生管理情報における再生回数情報を上書きするようになっている。
【００４５】
また、再生制御部１９０は、コンテンツデータの要約再生を行う場合に必要となる、属性と再生回数毎に当該再生部分を特定するためのテンプレートのデータ（以下、テンプレートデータという。）を有しており、操作部２４０を介して要約再生が指示された場合に、再生すべきコンテンツデータとともに記録されている要約再生管理情報を読み出し、当該読み出された要約再生管理情報とテンプレートデータに基づいて要約再生の再生制御を行うようになっている。
【００４６】
なお、本実施形態における再生制御部１９０の構成および要約再生の再生制御の詳細については、後述する。
【００４７】
デコーダ２００には、ＤＶＤ１０またはＨＤ２０に記録されたコンテンツデータの通常の再生または要約再生が実行される際に、ＤＶＤ１０およびＨＤ２０から読み出され、プログラムストリーム形式のコンテンツデータが入力されるようになっている。また、このデコーダ２００は、再生制御部１９０の制御の下、入力されたプログラムストリームを音声データと映像データに分離するとともに、これらの各データに対してデコード処理など所定の処理を行うことによって、コンテンツデータにおける映像データおよび音声データを生成するようになっている。そして、このデコーダ２００は、当該生成された映像データおよび音声データをＮＴＳＣ変換部２１０に出力するようになっている。
【００４８】
ＮＴＳＣ変換部２１０には、デコードされた映像データおよび音声データと、ＯＳＤ部２２０によって生成された表示データと、が入力されるようになっている。また、このＮＴＳＣ変換部２１０は、入力された映像データおよび音声データをＮＴＳＣ形式の信号形式に変換し、当該変換された映像信号に対して入力された表示データを重畳するようになっている。そして、このＮＴＳＣ変換部２１０は、表示データが重畳された映像信号および信号形式が変換された音声信号を映像信号出力端子Ｔ１および音声信号出力端子Ｔ２を介して接続された外部装置に出力するようになっている。
【００４９】
なお、例えば、本実施形態では、音声を拡声する機能を有するモニタが外部装置として接続されるようになっており、ＮＴＳＣ変換部２１０から出力された映像信号または音声信号は、当該モニタによって拡声され、および、表示させるようになっている。
【００５０】
ＯＳＤ部２２０は、再生制御部１９０の制御の下、文字情報等の外部装置に出力される映像信号に対して重畳するための表示データを生成し、当該生成された文字情報などの表示データをＮＴＳＣ変換部２１０に出力するようになっている。
【００５１】
操作部２４０は、各種確認ボタン、選択ボタンおよび数字キー等の多数のキーを有するリモートコントロール装置および当該リモートコントロール装置から送信された信号を受光する受光部、または、各種確認ボタン、選択ボタンおよび数字キー等の多数のキーを有する操作パネルにより構成されている。そして、この操作部２４０は、コンテンツデータの記録または再生を行う際の各種の指示、および、要約再生の指示ために用いられるようになっている。
【００５２】
システム制御部２５０は、ＲＯＭ／ＲＡＭ２６０に格納される制御プログラムを読み出して各処理を実行するとともに、当該ＲＯＭ／ＲＡＭ２６０に処理中のデータを一時的に保持することによって、ＤＶＤ１０またはＨＤ２０にコンテンツデータを記録するための記録処理、ＤＶＤ１０またはＨＤ２０からコンテンツデータを再生するための再生処理、および、特徴量データと再生回数に基づいて要約再生の制御を行う要約再生の処理（以下、要約再生処理という。）の制御を行うようになっている。
【００５３】
次に、図４〜図７を用いて本実施形態の再生制御部１９０の構成および要約再生の処理の詳細について説明する。なお、図４は、本実施形態における再生制御部１９０の構成を示すブロック図であり、図５および図６は、データ格納部１９３において格納されるテンプレートデータの一例である。また、図７は、再生区間決定部１９５において決定される再生区間を説明するための図である。
【００５４】
再生制御部１９０は、上述のように、（１）ＤＶＤ１０またはＨＤ２０に記録されたコンテンツデータの通常の再生制御、（２）当該コンテンツデータの通常の再生（以下、通常再生という。）を行う際の再生回数の管理、および、（３）コンテンツデータの要約再生における再生制御を行うようになっている。
【００５５】
具体的には、再生制御部１９０は、図４に示すように、コンテンツデータの通常再生の制御を行うデータ再生部１９１と、通常再生の際に再生回数を管理する再生回数管理部１９２と、を有し、通常再生を行う際の各種制御を行うようになっている。
【００５６】
また、この再生制御部１９０は、要約再生を行う際に用いるテンプレートデータが格納されているデータ格納部１９３と、当該テンプレートデータを決定するテンプレートデータ決定部１９４と、要約再生時にコンテンツデータの再生区間を決定する再生区間決定部１９５と、決定された再生区間に基づいて要約再生を制御する要約再生部１９６と、を有し、要約再生を行う際の各種の制御を行うようになっている。
【００５７】
なお、例えば、本実施形態の再生回数管理部１９２は、本発明の管理手段を構成し、データ格納部１９３は、本発明の格納手段を構成する。また、例えば、本実施形態のテンプレートデータ決定部１９４は、本発明の認識手段および決定手段を構成し、再生区間決定部１９５は、本発明の特定手段を構成する。さらに、例えば、本実施形態の要約再生部１９６は、本発明の再生手段を構成する。
【００５８】
データ再生部１９１は、ＤＶＤドライブ１７０またはＨＤドライブ１８０と、デコーダ２００と、ＮＴＳＣ変換部２１０と連動し、再生制御部１９０の制御の下、操作部２４０によって選択された既にＤＶＤ１０またはＨＤ２０に記録されている一のコンテンツデータを先頭から順に再生する通常再生の制御を行うようになっている。具体的には、データ再生部１９１は、デコーダ２００に操作部２４０によって指示されたコンテンツデータをＤＶＤドライブ１７０およびＨＤドライブ１８０を介して、ＤＶＤ１０またはＨＤ２０から読み出させ、当該読み出させたコンテンツデータをＮＴＳＣ変換部２１０を介して外部装置に出力させるようになっている。
【００５９】
一方、データ再生部１９１は、操作部２４０によってＤＶＤ１０またはＨＤ２０に記録されている一のコンテンツデータが選択され、当該コンテンツデータの通常再生の制御を行う際に、再生回数管理部１９２に通常再生が行われる旨を出力するようになっている。
【００６０】
なお、本実施形態のデータ再生部１９１は、通常再生の制御として、コンテンツデータを先頭から順に再生する順方向再生の他に、コンテンツデータの再生時刻を逆方向に再生する逆方向再生、再生スピードを速くまたは遅くする特殊再生などの再生制御を含む。
【００６１】
再生回数管理部１９２には、コンテンツデータの通常再生が行われる際に、データ再生部１９１から出力された通常再生が行われる旨が入力されるようになっている。また、この再生回数管理部１９２は、当該通常再生が行われる旨が入力されると、通常再生が行われるコンテンツデータにおけるデコーダ２００によって抽出された要約再生管理情報を取得するようになっている。そして、この再生回数管理部１９２は、取得された要約再生管理情報に記述されている再生回数情報に基づいて現在のコンテンツデータの再生回数を認識し、当該認識された再生回数に「１」プラスして当該再生回数情報が書き換えられた要約再生管理情報をＤＶＤドライブ１７０またはＨＤドライブ１８０に出力するようになっている。
【００６２】
なお、再生回数情報が書き換えられた要約再生管理情報が入力されたＤＶＤドライブ１７０またはＨＤドライブ１８０は、当該要約再生管理情報が属するＤＶＤ１０またはＨＤ２０の記録領域、すなわち、当該要約再生管理情報の記録されていた領域に上書き記録するようになっている。
【００６３】
データ格納部１９３には、要約再生を行う際に用いる複数のテンプレートデータが予め格納されており、このデータ格納部１９３は、要約再生が行われる際に、要約再生部１９６によって所定の条件に合致するテンプレートデータが検索されるようになっている。
【００６４】
ここで、データ格納部１９３に格納されているテンプレートデータについて説明する。
【００６５】
このデータ格納部１９３に予め格納されている各テンプレートデータは、検出された音声区間におけるコンテンツデータの重要度を制御するための重み付けデータであって、再生回数と属性に対応付けられるとともにコンテンツデータの再生時刻に伴って、すなわち、当該コンテンツデータの再生の進行に伴って変化するデータである。
【００６６】
具体的には、本実施形態では、テンプレートデータには、図５および図６に示すように、縦軸に重み付けの重みを示す値（以下、重率値という。）の百分率が用いられるとともに、横軸に時間軸を百分率で示し値が用いられ、重率値が再生の進行に伴って変化するデータとして再生回数と属性に対応付けられて格納されている。
【００６７】
例えば、図５（ａ）に示されるテンプレートデータは、コンテンツデータの再生時刻が先頭からコンテンツデータ全体の７０％まで重率値が１００％であることを示すとともに、当該再生時刻が全体の７０％以降の重率値が減少され、かつ、当該再生時刻がコンテンツデータ全体の８０％以降の重率値が「ゼロ」となるデータである。そして、このテンプレートデータは、再生回数が「０」であって、「ドラマ」または「映画」などのストーリー（物語）形式の属性に対応付けてデータ格納部１９３に格納されている。
【００６８】
また、図５（ｂ）に示されるテンプレートデータは、コンテンツデータの再生時刻が先頭から終了まで重率値が１００％を示すデータである。そして、このテンプレートデータは、再生回数が「１」であって、属性が「ドラマ」または「映画」などのストーリー（物語）形式に対応付けて、または、再生回数「１回以上」であって、「ニュース」形式の属性に対応付けてデータ格納部１９３に格納されている。
【００６９】
さらに、図５（ｂ）に示されるテンプレートデータは、コンテンツデータの再生時刻が先頭からコンテンツデータ全体の６０％まで重率値が４０％から１００％に変化するとともに、コンテンツデータの再生時刻が全体の６０％以降の重率値が１００％を示すデータである。そして、このテンプレートデータは、再生回数が「３回以上」であって、「ドラマ」または「映画」などのストーリー（物語）形式の属性に対応付けてデータ格納部１９３に格納されている。
【００７０】
一方、図６（ａ）に示されるテンプレートデータは、コンテンツデータの再生時刻が先頭からコンテンツデータ全体の２０％まで重率値が１００％であることを示すとともに、当該再生時刻が全体の２０％以降の重率値が１０％となるデータである。そして、このテンプレートデータは、再生回数が「０」であって、「スポーツ」または「情報番組」の属性に対応付けてデータ格納部１９３に格納されている。
【００７１】
また、図６（ｂ）に示されるテンプレートデータは、コンテンツデータの再生時刻が先頭からコンテンツデータ全体の８０％まで重率値が１０％であることを示すとともに、当該再生時刻が全体の８０％以降の重率値が１００％となるデータである。そして、このテンプレートデータは、再生回数が「１以上」であって、「スポーツ」の属性に対応付けてデータ格納部１９３に格納されている。
【００７２】
さらに、図６（ｃ）に示されるテンプレートデータは、コンテンツデータの再生時刻が先頭からコンテンツデータ全体の２０％まで、およびコンテンツデータ全体の８０％から終了までの重率値が１００％であることを示すとともに、その他の再生時刻の重率値が１０％となるデータである。そして、このテンプレートデータは、再生回数が「１以上」であって、「情報番組」の属性に対応付けてデータ格納部１９３に格納されている。
【００７３】
なお、図５および図６に示されるテンプレートデータは、騒音区間に対して用いられるテンプレートデータであり、無音区間について用いられるテンプレートデータは、例えば、騒音区間の各テンプレートデータにおける重率値５０％にて形成される直線に対して線対称のグラフによって示されるデータが用いられるようになっている。
【００７４】
テンプレートデータ決定部１９４は、コンテンツデータの要約再生が行われる際に、要約再生部１９６の制御に基づいて、要約再生を実行するコンテンツデータの要約再生管理情報を読み出し、再生回数情報と属性情報を取得するようになっている。また、このテンプレートデータ決定部１９４は、取得された再生回数情報と属性情報に基づいて、データ格納部１９３を検索し、当該再生回数情報によって示される再生回数および当該属性情報によって示される属性に基づいて騒音区間および無音区間毎に一のテンプレートデータを決定し、当該決定されたテンプレートデータをバスＢを介して再生区間決定部１９５に出力させるようになっている。
【００７５】
再生区間決定部１９５には、コンテンツデータの要約再生が行われる際に、テンプレート決定部にて決定されたテンプレートデータが入力されるようになっており、この再生区間決定部１９５は、要約再生部１９６の制御に基づいて、当該要約再生が行われるコンテンツデータの要約再生管理情報を取得するとともに、コンテンツデータの再生区間を決定し、決定された区間を区間情報として要約再生部１９６に出力するようになっている。
【００７６】
具体的には、再生区間決定部１９５は、要約再生部１９６の制御の下、コンテンツデータの要約再生が行われる際に、要約再生が行われるコンテンツデータの要約管理情報を取得し、騒音区間情報および無音区間情報の各音声区間情報を抽出するようになっている。また、再生区間決定部１９５は、抽出された各音声区間情報毎に、当該各音声区間情報に記録されている各音声区間毎の開始時刻に基づいて、入力されたテンプレートデータにおける当該開始時刻の重率値を各区間の音量レベル値に乗算し、当該乗算された値（以下、音量レベル乗算値という。）が予め定められた値（以下、区間決定閾値という。）以上または以下を有する区間を要約再生に用いる区間（以下、決定再生区間という。）に決定するようになっている。そして、この再生区間決定部１９５は、決定された区間の開始時刻または終了時刻から所定の時間を要約再生の際に用いるコンテンツデータの部分であるとして当該決定された時刻情報を要約再生部１９６に出力するようになっている。
【００７７】
また、再生区間決定部１９５は、騒音区間の音量レベル乗算値については予め定められた値以上を有する区間を要約再生に用いる区間に決定し、当該区間の開始時刻を時刻情報として要約再生部１９６に出力するようになっている。一方、再生区間決定部１９５は、無音区間の音量レベル乗算値については予め定められた値以下を有する区間を要約再生に用いる区間に決定し、当該区間の終了時刻を時刻情報として要約再生部１９６に出力するようになっている。
【００７８】
例えば、図７に示すように、音声データＤ１を有するコンテンツデータの要約再生を行う場合であって、テンプレートデータ決定部１９４において図５（ａ）に示されるテンプレートデータＴＤが騒音区間のテンプレートデータとして決定された場合に、本実施形態の再生区間決定部１９５は、音声データに対してテンプレートデータを乗算すると、図７に示す音声データＤ２が算出される。したがって、図７に示すように、特徴量抽出部１４０において予め設定された騒音レベルによって騒音区間が検出されている場合であっても、再生区間決定部１９５は、テンプレートデータが適用された音声データＤ２は、区間決定閾値以下となり、区間３を決定再生区間に決定しないようになる。すなわち、再生区間決定部１９５は、区間１および区間２を決定再生区間として決定するようになっている。
【００７９】
なお、図７は、あくまでも再生区間決定部１９５における決定再生区間の決定処理を説明するための図であり、本実施形態の再生区間決定部１９５は、実際には、特徴量抽出部１４０によって抽出された騒音区間および無音区間に対して上述のような演算を行うことによって決定再生区間を決定するようになっている。
【００８０】
要約再生部１９６は、コンテンツデータの要約再生が行われる際に、再生制御部１９０の各部を制御するようになっており、再生区間決定部１９５において決定された時刻情報が入力された場合には、時刻情報によって示される時刻から所定の時間のコンテンツデータを再生時刻順に抽出させ、当該抽出させたコンテンツデータを順次再生するように、ＤＶＤ１０またはＨＤ２０、デコーダ２００およびＮＴＳＣ変換部２１０を制御するようになっている。
【００８１】
例えば、本実施形態の要約再生部１９６は、再生区間決定部１９５において決定された音声区間が騒音区間の場合には、当該騒音区間の開始時刻から１０秒のコンテンツデータの部分を抽出するとともに、当該決定された音声区間が無音区間の場合には、当該騒音区間の終了時刻から１０秒のコンテンツデータの部分を抽出するようになっている。そして、この要約再生部１９６は、抽出された各部分のコンテンツデータ（以下、部分コンテンツデータという。）を、音声区間の種別に関係なく、再生時刻順に繋ぎ合わせ、再生するようＤＶＤ１０またはＨＤ２０、デコーダ２００およびＮＴＳＣ変換部２１０を制御するようになっている。
【００８２】
次に、図８を用いて本実施形態の記録制御部１５０における記録処理の動作については説明する。
【００８３】
なお、図８は、本実施形態の記録制御部１５０における記録処理の動作を示すフローチャートである。また、本動作では、放送波によって提供される放送番組データをコンテンツデータとして記録するものとし、コンテンツデータをユーザの手動操作に基づいてＨＤ２０に記録するものとする。
【００８４】
まず、ユーザが操作部２４０を操作することによって、所定の放送波により提供されるコンテンツデータをＨＤ２０に記録すべきことを指示すると、システム制御部２５０は、当該指示を検出し（ステップＳ１１）、ＴＶ受信部１１０にユーザによって選択された受信帯域に同調させるとともに信号波の受信を開始させる（ステップＳ１２）。
【００８５】
なお、このとき、ＴＶ受信部１１０は、信号波の受信を開始すると、当該受信された信号波をＴＶ信号に変換させてコンテンツデータを生成し、当該生成されたコンテンツデータを映像データ用入力処理部１２０および音声データ用入力処理部１３０を介してエンコーダ１６０および特徴量抽出部１４０に出力する。また、このＴＶ受信部１１０は、ユーザによって選択されて提供されるコンテンツデータにおけるコンテンツ管理情報を受信し、当該受信されたコンテンツ管理情報を記録制御部１５０に出力する。
【００８６】
次いで、システム制御部２５０は、記録制御部１５０にコンテンツデータのＨＤ２０への記録を開始する旨を指示する（ステップＳ１３）。なお、記録制御部１５０は、コンテンツデータをＨＤ２０に記録するための指示が入力されると、以下に説明する処理を行う。
【００８７】
まず、記録制御部１５０は、特徴量抽出部１４０にコンテンツデータから音声データを抽出させ、当該抽出させた音声データに基づいて当該音声データにおける特徴量データの検出処理を開始させる（ステップＳ１４）。
【００８８】
具体的には、特徴量抽出部１４０は、検出処理の開始が指示されると、特徴データとして騒音区間開始時刻と騒音区間終了時刻、または、無音区間開始時刻と無音区間終了時刻を検出するとともに、それぞれの音声区間の音量レベル値を検出し、当該検出された特徴データを順次記録制御部１５０に出力する。
【００８９】
次いで、記録制御部１５０は、エンコーダ１６０に、入力されたコンテンツデータを所定の圧縮形式のデータ形式にエンコードさせるとともにプログラムストリームの生成する生成処理を開始させ、ＨＤ２０に当該プログラムストリームの記録を開始させる（ステップＳ１５）。
【００９０】
次いで、記録制御部１５０は、所定の時間毎にコンテンツデータの記録処理の停止が操作されたか否かを検出し（ステップＳ１６）、当該記録処理の停止が操作された場合には、当該ステップＳ１７の処理に移行させる。
【００９１】
なお、ユーザが操作部２４０を介して記録処理の停止を操作し、システム制御部２５０が当該記録処理の停止の旨を検出すると、当該システム制御部２５０は、記録制御部１５０にその旨を通知する。このため、記録制御部１５０は、当該ステップＳ１６の処理では記録処理の停止の旨が通知されたか否か検出する。
【００９２】
次いで、記録制御部１５０は、入力されたコンテンツ管理情報から当該コンテンツデータの属性を抽出するとともに、入力された特徴量データに基づいて各音声区間毎の区間数、すなわち、情報数を検出する（ステップＳ１７）。
【００９３】
次いで、記録制御部１５０は、入力された各音声区間における音声区間情報、抽出されたコンテンツデータの属性、および、検出された情報数に基づいて要約再生管理情報を生成する（ステップＳ１８）。
【００９４】
なお、このとき、記録制御部１５０は、音量レベル値として各音声区間中における予め定められた時間毎の音量レベルの平均値を算出し、当該算出された音量レベルの平均値を音量レベル値として要約再生管理情報を生成する。また、この記録制御部１５０は、当該要約再生管理情報を生成する際に、「０回」を示す再生回数情報を組み込む。
【００９５】
最後に、記録制御部１５０は、ＨＤドライブ１８０を介してＨＤ２０に記録されているプログラムストリームに対応付けて生成された要約再生管理情報を記録して（ステップＳ１９）本動作を終了させる。
【００９６】
次に、図９を用いて本実施形態の再生制御部１９０における要約再生処理の動作については説明する。
【００９７】
なお、図９は、本実施形態の再生制御部１９０における要約処理の動作を示すフローチャートである。また、本動作では、ＨＤ２０に記録されているコンテンツデータに対して要約再生を行うものとし、ユーザの手動操作によって要約再生が行われるコンテンツデータが選択されるものとする。
【００９８】
まず、ユーザが操作部２４０を操作することによって、ＨＤ２０に記録されている一のコンテンツデータを選択し、当該コンテンツデータの要約再生を指示すると、システム制御部２５０は、当該指示を検出する（ステップＳ２１）。
【００９９】
次いで、システム制御部２５０は、再生制御部１９０にコンテンツデータの要約再生を開始する旨を指示する（ステップＳ２２）。なお、再生制御部１９０は、コンテンツデータの要約再生を行うための指示が入力されると、要約再生部１９６の指示に基づいて以下に説明する処理を行う。
【０１００】
まず、要約再生部１９６は、ＨＤ２０内を検索し、該当する要約再生管理情報、すなわち、要約再生を行う選択されたコンテンツデータにおける要約再生管理情報をテンプレートデータ決定部１９４および再生区間決定部１９５に取得させる（ステップＳ２３）。
【０１０１】
次いで、要約再生部１９６は、テンプレートデータ決定部１９４に取得させた要約再生管理情報に基づいて当該コンテンツデータの再生回数および属性を認識させる（ステップＳ２４）。
【０１０２】
次いで、要約再生部１９６は、テンプレートデータ決定部１９４に要約再生管理情報に記録されている音声区間情報に適用するためのテンプレートを決定させる（ステップＳ２５）。
【０１０３】
具体的には、テンプレートデータ決定部１９４は、取得された再生回数情報と属性情報に基づいて、データ格納部１９３を検索し、当該再生回数情報によって示される再生回数および当該属性情報によって示される属性に基づいて騒音区間および無音区間毎に一のテンプレートデータを決定し、当該決定されたテンプレートデータを再生区間決定部１９５に出力させる。
【０１０４】
次いで、要約再生部１９６は、再生区間決定部１９５にテンプレートデータおよび取得させた要約再生管理情報における音声区間情報に基づいて要約再生に用いる音声区間を決定させ、決定させた音声区間における時刻情報を要約再生部１９６に出力させる（ステップＳ２６）。
【０１０５】
具体的には、再生区間決定部１９５は、各音声区間情報毎に、当該各音声区間情報に記録されている各区間毎の開始時刻に基づいて、入力されたテンプレートデータにおける当該開始時刻の重率値を各区間の音量レベル乗算値を算出し、当該音量レベル乗算値が区間決定閾値以上または以下を有する区間を決定再生区間に決定する。そして、この再生区間決定部１９５は、決定された決定再生区間の時刻情報を要約再生部１９６に出力する。
【０１０６】
次いで、要約再生部１９６は、入力された時刻情報に基づいてＨＤ２０、デコーダ２００およびＮＴＳＣ変換部２１０を制御し、要約再生を行う（ステップＳ２７）。具体的には、要約再生部１９６は、デコーダ２００に時刻情報によって示される時刻から所定の時間のコンテンツデータを再生時刻順に抽出させ、当該抽出させたコンテンツデータを順次再生するようＨＤ２０、デコーダ２００およびＮＴＳＣ変換部２１０を制御する。
【０１０７】
次いで、要約生成部は、予め設定された時間毎に選択されたコンテンツデータの要約再生が終了したか否かを検出し（ステップＳ２８）、当該選択されたコンテンツデータの要約再生が終了した旨を検出した場合には、本動作を終了する。
【０１０８】
以上本実施形態によれば、情報記録再生装置１００は、ＤＶＤ１０またはＨＤ２０に予め記録されているコンテンツデータの再生時間における時間長を短縮して再生を行う情報記録再生装置１００であって、ＤＶＤ１０またはＨＤ２０に記録されているコンテンツデータの再生回数を管理する再生回数管理部１９２と、操作者によって要約再生が指示された場合に、再生回数管理部１９２によって管理されている当該コンテンツデータの再生回数を認識するテンプレートデータ決定部１９４と、認識された再生回数に基づいて、テンプレートデータを決定するテンプレートデータ決定部１９４と、決定されたテンプレートデータと音声区間情報に基づいて、コンテンツデータにおける要約再生に用いる再生区間を一または２以上特定する再生区間決定部１９５と、特定された再生区間に基づいて記録されているコンテンツデータを再生する要約再生部１９６およびデコーダ２００と、を備える構成を有している。
【０１０９】
この構成により、本実施形態の情報記録再生装置１００は、操作者によって要約情報の生成が指示された場合に、当該記録された再生回数情報に基づいて、テンプレートデータを決定するとともに、決定されたテンプレートデータに基づいて、コンテンツデータにおける要約再生に用いる再生区間を一または２以上特定し、特定された再生区間に基づいて格納されているコンテンツデータを再生する。
【０１１０】
通常、未だコンテンツデータを視聴していない場合には、当該コンテンツデータによって示されるコンテンツの結末を提供せずに要約再生を行う、または、複数回の再生が既に行われている場合には、コンテンツデータの内容把握を容易にすることができる部分を提供して要約再生を行うなど、操作者の視聴状況に応じて要約再生の内容を変化させれば、操作者の視聴意欲を低減させることはない。
【０１１１】
したがって、本実施形態の情報記録再生装置１００は、再生回数に基づいて要約再生の基になるコンテンツデータの再生区間を特定して要約再生を行うことによって、操作者の視聴状況を考慮しつつ、要約再生を行うことができるので、記録されているコンテンツデータにおける視聴意欲を低減させずに、当該要約再生を実行することができる。
【０１１２】
また、本実施形態の情報記録再生装置１００は、情報記録再生装置１００は、記録されているコンテンツデータに含まれる音声データに基づいて、予め設定された閾値を越える音量レベルまたは予め設定された閾値以下の音量レベルの少なくとも何れか一方の音量レベルを有するコンテンツデータにおける音声区間を予め検出する特徴量抽出部１４０と、を有し、再生区間決定部１９５が、決定されたテンプレートデータと音声区間情報に基づいて、コンテンツデータにおける要約再生に用いる再生区間を一または２以上特定する。
【０１１３】
この構成により、本実施形態の情報記録再生装置１００は、取得された音声データに基づいて、予め設定された閾値を越える音量レベルまたは予め設定された閾値以下の音量レベルを有するコンテンツデータにおける音声区間を検出する。また、この情報記録再生装置１００は、操作者によって要約情報の生成が指示された場合に、当該記録された再生回数情報に基づいて、格納されているテンプレートデータを決定するとともに、決定されたテンプレートデータと音声区間情報に基づいて、コンテンツデータにおける要約再生に用いる再生区間を一または２以上特定し、特定された再生区間に基づいて格納されているコンテンツデータを再生する。
【０１１４】
したがって、本実施形態の情報記録再生装置１００は、再生回数に基づいて要約再生の基になるコンテンツデータの再生区間を特定して要約再生を行うことによって、操作者の視聴状況を考慮しつつ、要約再生を行うことができるので、記録されているコンテンツデータにおける視聴意欲を低減させずに、当該要約再生を実行することができる。
【０１１５】
また、本実施形態の情報記録再生装置１００は音声区間情報として音声区間とともに音声区間の音量レベル値をＤＶＤ１０またはＨＤ２０に予め記録する記録制御部１５０を有する構成をしている。
【０１１６】
この構成により、本実施形態の情報記録再生装置１００は、検出された音声区間を音声区間情報としてコンテンツデータとともにＤＶＤ１０またはＨＤ２０に予め記録する。
【０１１７】
通常、コンテンツデータにおいて、音声レベルが大きければ、大きいほど当該コンテンツデータにおける内容が盛り上がる部分であると想定され、音声レベルが無音に近ければ近いほど、当該コンテンツデータにおける内容の区切りを示す部分であると想定される。
【０１１８】
したがって、本実施形態の情報記録再生装置１００は、要約再生を行う際に必要となる再生区間を決定する際に、音量レベル値に基づいて当該再生区間を決定することができるので、より的確に、かつ、容易に、再生区間を特定することができる。
【０１１９】
また、本実施形態の情報記録再生装置１００は、再生区間決定部１９５が、決定されたテンプレートデータを音声区間情報によって示される音量レベル値に乗算し、その結果に基づいてコンテンツデータにおける再生区間を一または２以上特定する構成を有している。
【０１２０】
この構成により、本実施形態の情報記録再生装置１００は、決定されたテンプレートデータを音声区間情報によって示される音量レベル値に乗算し、その結果に基づいてコンテンツデータにおける再生区間を一または２以上特定するので、操作者の視聴状況に的確に対応する再生区間を特定することができる。
【０１２１】
また、本実施形態の情報記録再生装置１００は、データ格納部１９３には、再生回数とともにコンテンツデータの属性に対応付けられた複数のテンプレートデータが格納されている場合に、ＴＶ受信部１１０が、コンテンツデータとともに当該コンテンツデータの属性を示す属性情報を取得し、テンプレートデータ決定部１９４が、再生回数と属性情報に基づいてテンプレートデータを決定する構成を有している。
【０１２２】
この構成により、本実施形態の情報記録再生装置１００は、コンテンツデータとともに当該コンテンツデータの属性を示す属性情報を取得し、再生回数と属性情報に基づいてテンプレートデータを決定する。
【０１２３】
通常、放送番組などのコンテンツデータは、映画、ニュースまたはスポーツなど属性（ジャンル）に従って、構成される内容が異なる。このため、要約再生を行う際に、属性によっても特定されるコンテンツデータの再生区間を考慮する必要がある。
【０１２４】
したがって、本実施形態の情報記録再生装置１００は、コンテンツデータの再生回数とともに、当該コンテンツデータの属性に基づいてテンプレートデータを決定し、当該決定されたテンプレートデータに基づいて要約再生を行う際の再生区間を特定することができるので、操作者の視聴状況に的確に対応する要約再生を行うことができる。
【０１２５】
また、本実施形態の情報記録再生装置１００は、要約再生部１９６が、予め設定された閾値を越える音量レベル有するコンテンツデータにおける音声区間が検出された場合には、当該音量レベル以上を有する区間を再生区間として特定し、予め設定された閾値以下の音量レベル有するコンテンツデータにおける音声区間が検出された場合には、当該音量レベルを有する区間に後続する区間を再生区間として特定する構成を有している。
【０１２６】
この構成により、本実施形態の情報記録再生装置１００は、予め設定された閾値を越える音量レベルの音声区間が検出された場合には、当該閾値以上の音声レベルを有する再生区間が要約再生に用いる区間として特定され、予め設定された閾値以下の音量レベルの音声区間が検出された場合には、当該音量レベル以下の音声区間に後続する再生区間が、要約再生に用いる区間として特定される。
【０１２７】
通常、音声レベルが予め設定された閾値以上の音声区間は、コンテンツデータにおける内容が盛り上がる部分を示し、音声レベルが予め設定された閾値以下の音声区間は、内容の区切りを示す部分となり、当該音声区間に後続する部分が当該コンテンツデータにおける重要な部分となる。
【０１２８】
したがって、本実施形態の情報記録再生装置１００は、コンテンツデータの内容の区切りがよく、かつ、当該コンテンツデータの要点を示す再生区間から構成される要約再生を提供することができる。
【０１２９】
なお、本実施形態の情報記録再生装置１００は、特徴量抽出部１４０が、騒音区間と無音区間における音声区間を検出し、特徴量データを検出するようになっているが、複数の異なる閾値を越えるまたは複数の異なる閾値以下の音量レベルを有する騒音区間または無音区間の音声区間を検出するようにしてもよい。
【０１３０】
この場合に、本実施形態の情報記録再生装置１００は、コンテンツデータの盛り上がる部分など更に詳細に音声区間を認識することができるので、検出された音声区間に基づいて要約再生を行うと、操作者の視聴状況に的確に対応する要約再生を行うことができる。
【０１３１】
また、本実施形態の情報記録再生装置１００は、音声区間情報において、各音声区間をコンテンツデータにおける再生区間として特定する情報として、各音声区間の開始時刻および終了時刻を用いているが、各音声区間の開始時刻と当該音声区間の時間など、当該各音声区間がコンテンツデータを再生する際の再生時刻として特定することのできる情報であればよい。
【０１３２】
また、本実施形態の情報記録再生装置１００は、検出された音声区間の音量レベル値として当該音声区間中の平均値を用いているが、勿論、当該音声区間の時間長に比例する音量レベル値、例えば、音声区間における音量レベル値の総計、または、当該音声区間の最大値などの音声区間を特徴付ける値を音量レベル値として用いるようにしてもよい。
【０１３３】
また、本実施形態では、上述の情報記録再生装置１００によって、記録処理、再生処理および要約再生処理を行うようになっている。しかしながら、上述のように、ＤＶＤドライブ１７０またはＨＤドライブ１８０有する情報記録再生装置１００にコンピュータを備え、このＤＶＤ１０またはＨＤ２０に上述の記録処理、再生処理および要約再生処理を行うプログラムを格納し、このコンピュータで当該プログラムを読み込むことによって上述と同様の記録処理、再生処理および要約再生処理を行うようにしてもよい。
【０１３４】
また、本実施形態の情報記録再生装置１００は、放送局から送信される放送波よりコンテンツデータの属性などのコンテンツ管理情報を取得するようになっているが、当該放送波とは別に、インターネットなどの公衆網回線から当該コンテンツ管理情報を取得するようにしてもよい。
【図面の簡単な説明】
【０１３５】
【図１】本願に係る一実施形態に情報記録再生装置の構成を示すブロック図である。
【図２】一実施形態の特徴量抽出部において検出される特徴量データを説明するための図である。
【図３】一実施形態の記録制御部にて生成され、ＤＶＤまたはＨＤに記録される要約再生管理情報のデータ構造図の一例である。
【図４】一実施形態における再生制御部の構成を示すブロック図である。
【図５】一実施形態のデータ格納部において格納されるテンプレートデータの一例（Ｉ）である。
【図６】一実施形態のデータ格納部において格納されるテンプレートデータの一例（Ｉ）である。
【図７】一実施形態の再生区間決定部において決定される再生区間を説明するための図である。
【図８】一実施形態の記録制御部における記録処理の動作を示すフローチャートである。
【図９】一実施形態の再生制御部における再生処理の動作を示すフローチャートである。
【符号の説明】
【０１３６】
１０  …  ＤＶＤ
２０  …  ＨＤ
１００  …  情報記録再生装置
１４０  …  特徴量抽出部
１５０  …  記録制御部
１９０  …  再生制御部
１９２  …  再生回数管理部
１９３  …  データ格納部
１９４  …  テンプレートデータ決定部
１９５  …  再生区間決定部
１９６  …  要約再生部
２００  …  デコーダ
【図１】
2006139829.tif 000003
【図２】
2006139829.tif 000004
【図３】
2006139829.tif 000005
【図４】
2006139829.tif 000006
【図５】
2006139829.tif 000007
【図６】
2006139829.tif 000008
【図７】
2006139829.tif 000009
【図８】
2006139829.tif 000010
【図９】
2006139829.tif 000011